(57)【要約】【課題】  簡易な機構でホログラムの多重記録を行う、または多重記録されたホログラムを再生することのできるホログラム装置を提供する。【解決手段】  光発生器１からの光をホログラム４が形成された記録媒体３に入射させて情報を再生するホログラム装置において、光発生器１は基板１０と基板１０上に複数配置された発光部１１、１１とで構成し、発光部１１は単一モードのレーザ光より広い波長帯域幅を有するレーザ光を発振するレーザ発振部からなり、光発生器１と記録媒体３の間には各発光部１１、１１からの複数の光を記録媒体３の略同じ位置に集光する集光手段２を設けてなる。【選択図】  図１
2006098459.tif 000002
【特許請求の範囲】
【請求項１】
光発生器からの光をホログラムが形成された記録媒体に入射させて情報を再生するホログラム装置において、
上記光発生器は基板と該基板上に複数配置された発光部とで構成し、該発光部は単一モードのレーザ光より広い波長帯域幅を有する光源からなり、上記光発生器と記録媒体の間には上記各発光部からの複数の光を上記記録媒体の略同じ位置に集光する集光手段を設けたことを特徴とするホログラム装置。
【請求項２】
上記光源はレーザ光を発振するレーザ発振部からなることを特徴とする請求項１記載のホログラム装置。
【請求項３】
上記レーザ発振部はマルチモードのレーザ光を発振するものであって、光を共振させる共振器の反射部の表面を凹凸形状に形成して共振器長に長短を生じさせ、該共振器長に応じた波長の光を共振させることでレーザ光の主モードとサイドモードの波長帯域幅を広げて、発振するレーザ光の主モードとサイドモードが連続する波長の半値幅を持たせることで、単一モードのレーザ光より広い波長帯域幅を有することを特徴とする請求項２記載のホログラム装置。
【請求項４】
上記レーザ発振部はマルチモードのレーザ光を発振するものであって、光を共振させる共振器の反射部が多層膜フィルタにより構成され、該多層膜フィルタに膜厚方向に丘陵状となる反射光強度分布を持たせて共振器長に長短を生じさせ、該共振器長に応じた波長の光を共振させることでレーザ光の主モードとサイドモードの波長帯域幅を広げて、発振するレーザ光の主モードとサイドモードが連続する波長の半値幅を持たせることで、単一モードのレーザ光より広い波長帯域幅を有することを特徴とする請求項２記載のホログラム装置。
【請求項５】
光発生器からの光をホログラムが形成された記録媒体に入射させて情報を再生するホログラム装置において、
上記光発生器は基板と該基板上に複数配置された発光部とで構成し、上記光発生器と記録媒体の間には上記各発光部からの複数の光を上記記録媒体の略同じ位置に集光する集光手段を設け、
上記発光部は波長可変レーザ発振部からなり、該波長可変レーザ発振部は振幅が一定範囲で変化する電流を発生させる電流変調部を有し、該電流変調部で発生させた変調電流をレーザ発振部に入力し発振するレーザ光の波長を一定範囲で変化させることで、波長を変調したレーザ光を上記記録媒体に入射させることを特徴とするホログラム装置。
【請求項６】
上記光源はＬＥＤまたはＲＣＬＥＤからなることを特徴とする請求項１記載のホログラム装置。
【請求項７】
上記基板上に複数配置される発光部はアレイ状に配列されることを特徴とする請求項１〜６のいずれか１項に記載のホログラム装置。
【請求項８】
上記光発生器には発光部に近接してバンドパスフィルタが設けられることを特徴とする請求項１〜７のいずれか１項に記載のホログラム装置。
【発明の詳細な説明】
【技術分野】
【０００１】
本発明は光発生器からの光をホログラムが形成された記録媒体に入射させて情報を記録・再生するホログラム装置に関し、より詳細には波長帯域幅の広い光を参照光として、角度多重記録されたホログラムの記録・再生を行うホログラム装置に関する。
【背景技術】
【０００２】
従来からホログラムの原理を用いて情報を記録する記憶装置が知られている。ホログラムは符号化された物体光と参照光の干渉により記録媒体に形成されるもので、再生時には書き込み時と同じ波長及び角度の参照光をホログラムに入射させることで、元の情報が再生される。
【０００３】
ホログラム記録媒体の特徴は高密度、大容量化を図ることができることである。また、参照光の角度を変化させる角度多重方式、あるいは参照光の波長を変化させる波長多重方式を用いることにより情報の多重記録ができ、さらなる高密度化が可能となる。また、従来の電子的な記憶装置が情報を逐次読み出すのに対して、ホログラムの場合は情報をページ毎に一挙に読み出すことができる。これによりデータの高速処理が可能となる。
【０００４】
角度多重方式において参照光の角度を変化させるために、ホログラム装置において従来からガルバノミラーが使用されている。このガルバノミラーを使用して角度多重されたホログラムを再生する装置としては、例えば特許文献１に挙げるようなものがある。
【特許文献１】特開２０００−１５５９５０号公報
【発明の開示】
【発明が解決しようとする課題】
【０００５】
しかし、従来のホログラム装置では、記録媒体に対する参照光の照射角度を精度良く制御するためには複雑なガルバノミラーの駆動装置及びその制御系が必要とされた。従ってホログラム装置の小型化、低コスト化及び高信頼性の確保が困難であった。
【０００６】
また、参照光としてレーザ光が用いられており、通常レーザ光は非常に狭い波長範囲を有するので、記録媒体に対する参照光の照射角度がわずかでも異なると、ホログラムによって光が回折するための条件を満たさず、ホログラムを再生することができない。このことからも、参照光の角度を非常に精度よく制御しなければならず、ホログラム装置の高コストの原因となっていた。
【０００７】
本発明は上記課題を鑑みてなされたものであり、簡易な機構で多重記録されたホログラムを再生することのできるホログラム装置を提供することを目的とする。
【課題を解決するための手段】
【０００８】
上記の課題を解決するため本発明に係るホログラム装置は、光発生器からの光をホログラムが形成された記録媒体に入射させて情報を再生するホログラム装置において、
上記光発生器は基板と該基板上に複数配置された発光部とで構成し、該発光部は単一モードのレーザ光より広い波長帯域幅を有する光源からなり、上記光発生器と記録媒体の間には上記各発光部からの複数の光を上記記録媒体の略同じ位置に集光する集光手段を設けたことを特徴として構成されている。
【０００９】
また本発明に係るホログラム装置は、上記光源はレーザ光を発振するレーザ発振部からなることを特徴として構成されている。
【００１０】
また本発明に係るホログラム装置は、上記レーザ発振部はマルチモードのレーザ光を発振するものであって、光を共振させる共振器の反射部の表面を凹凸形状に形成して共振器長に長短を生じさせ、該共振器長に応じた波長の光を共振させることでレーザ光の主モードとサイドモードの波長帯域幅を広げて、発振するレーザ光の主モードとサイドモードが連続する波長の半値幅を持たせることで、単一モードのレーザ光より広い波長帯域幅を有することを特徴として構成されている。
【００１１】
また本発明に係るホログラム装置は、上記レーザ発振部はマルチモードのレーザ光を発振するものであって、光を共振させる共振器の反射部が多層膜フィルタにより構成され、該多層膜フィルタに膜厚方向に丘陵状となる反射光強度分布を持たせて共振器長に長短を生じさせ、該共振器長に応じた波長の光を共振させることでレーザ光の主モードとサイドモードの波長帯域幅を広げて、発振するレーザ光の主モードとサイドモードが連続する波長の半値幅を持たせることで、単一モードのレーザ光より広い波長帯域幅を有することを特徴として構成されている。
【００１２】
また本発明に係るホログラム装置は、光発生器からの光をホログラムが形成された記録媒体に入射させて情報を再生するホログラム装置において、
上記光発生器は基板と該基板上に複数配置された発光部とで構成し、上記光発生器と記録媒体の間には上記各発光部からの複数の光を上記記録媒体の略同じ位置に集光する集光手段を設け、
上記発光部は波長可変レーザ発振部からなり、該波長可変レーザ発振部は振幅が一定範囲で変化する電流を発生させる電流変調部を有し、該電流変調部で発生させた変調電流をレーザ発振部に入力し発振するレーザ光の波長を一定範囲で変化させることで、波長を変調したレーザ光を上記記録媒体に入射させることを特徴として構成されている。
【００１３】
そして、本発明に係るホログラム装置は、上記光源はＬＥＤまたはＲＣＬＥＤからなることを特徴として構成されている。
【００１４】
また、本発明に係るホログラム装置は、上記基板上に複数配置される発光部はアレイ状に配列されることを特徴として構成されている。
【００１５】
さらに、本発明に係るホログラム装置は、上記光発生器には発光部に近接してバンドパスフィルタが設けられることを特徴として構成されている。
【発明の効果】
【００１６】
本発明に係るホログラム装置によれば、光発生器は複数配置された発光部からなる構成としたので、発光部の発光位置を変更することのみにより容易に参照光の入射角を変化させることができる。また、発生する光は、広い波長帯域幅を有しているので、光の記録媒体に対する入射角がずれた場合でも、ホログラムを再生することができる。このため、簡易な構成で角度多重を行うことができ、かつ信頼性も向上させることができる。
【００１７】
また、本発明に係るホログラム装置によれば、レーザ発振部は光を共振させる共振器の反射部の表面を凹凸形状に形成して共振器長に長短を生じさせているので、広い波長帯域幅を有するレーザ光を容易に作り出すことができる。さらに、レーザ発振部は光を共振させる共振器の反射部が多層膜フィルタにより構成され、該多層膜フィルタは膜厚方向に丘陵状となる反射光強度分布を持たせて共振器長に長短を生じさせることによっても、同様に広い波長帯域幅を有するレーザ光を容易に作り出すことができる。
【００１８】
さらに、本発明に係るホログラム装置によれば、振幅が一定範囲で変化させてレーザ発振部に入力し、発振するレーザ光の波長を一定範囲で変化させることにより、レーザ光が最小波長から最大波長まで変化する間の発振を一回の発振とみると、この最小波長から最大波長までの広い波長帯域幅を有するレーザ光として扱うことができ、レーザ光の記録媒体に対する入射角がずれた場合でも、ホログラムを再生することができる。
【００１９】
また本発明に係るホログラム装置によれば、発光部をアレイ状に配列したので、発光部の発光位置を変更することのみにより容易に参照光の入射角度を制御できる。
【００２０】
そして本発明に係るホログラム装置によれば、光発生器には発光部に近接してバンドパスフィルタが設けられるので、光の波長帯域幅を最適幅に調整することができる。
【発明を実施するための最良の形態】
【００２１】
本発明の実施形態について図面に沿って詳細に説明する。図１には本実施形態におけるホログラム装置の概要図を示す。図１に示すように本実施形態のホログラム装置は、発光部１１ａ、１１ｂ、１１ｃを基板１０上に配置した光発生器１と、この光発生器１の各発光部１１、１１に近接して配置したバンドパスフィルタ６と、光発生器１からの光を記録媒体３のホログラム４に集光する集光レンズ２と、ホログラム４からの出射光を受光する受光部５とから主として構成される。図１に記載のホログラム装置は、ホログラム４の再生を行うものである。
【００２２】
記録媒体３のホログラム４は、物体光と参照光を所定の角度で照射して光の干渉縞を生じさせることで形成される。記録媒体３に記録された情報を読み取るには、ホログラム４を形成するのに用いた参照光と同じ光を記録媒体３に入射させることにより、その光は回折して元の像が再生される。これを例えばＣＭＯＳからなる受光部５によって受光することで、情報が読み取られる。なお、受光部５は、ＣＣＤ等から構成するようにしてもよい。
【００２３】
ここで、ホログラム４の形成に際しては、参照光角度を変化させることによる空間多重がなされる。すなわち、ホログラム４を形成する際に参照光の角度を変化させることで、記録媒体３の同じ位置に複数の情報を書き込むことができる。これらの情報を読み込むためには、書き込みに用いた参照光の波長の光を、書き込み時と同じ角度で記録媒体３に入射させることによって、それぞれ多重書き込みされたホログラム４を再生することができる。
【００２４】
次に、光発生器１について説明する。光発生器１の斜視図を図２に示す。図２に示すように、光発生器１は基板１０上に複数の発光部１１ａ、１１ｂ、１１ｃを配置して構成されている。なお、例えば他所に設けられた光源から光ファイバーで導光してこれに替えることもできる。また、配置のパターンは、これに限定されるものではなく、他にも十字形状、楕円形状、四角形状などの配列が考えられる。いずれにしても、発光部１１を基板１０上にアレイ状に配置することで、光発生器１を構成する。本実施形態では、発光部１１ａ、１１ｂ、１１ｃを直線状に配列した例で説明する。
【００２５】
各発光部１１は、それぞれ、広い波長帯域幅を有する光Ｌ０ａ、Ｌ０ｂ、Ｌ０ｃを発生する。集光レンズ２は、光発生器１からの光を記録媒体３の略同じ位置に集光するものである。集光レンズ２からの出射光Ｌ１ａ、Ｌ１ｂ、Ｌ１ｃが、ホログラム４を再生する参照光となる。
【００２６】
次に、角度多重記録されたホログラム再生の詳細を説明する。図１に示すように、光発生器１の各発光部１１は、それぞれ異なる位置から光を発生するので、集光レンズ２を介して記録媒体３に入射する各光Ｌ１ａ、Ｌ１ｂ、Ｌ１ｃは、それぞれ異なる角度でホログラム４に入射する。
【００２７】
発光部１１ａからの光Ｌ０ａは、集光手段２により進行方向が変わり、光Ｌ１ａとなってホログラム４に対し、記録のための物体光Ｌ２とはθａの角度をなすように入射する。発光部１１ｂからの光Ｌ０ｂは、集光手段２を通過して光Ｌ１ｂとなり、ホログラム４に対し物体光Ｌ２とはθｂの角度をなすように入射する。発光部１１ｃからの光Ｌ０ｃは、集光手段２により進行方向が変わり、光Ｌ１ｃとなってホログラム４に対し物体光Ｌ２とはθｃの角度をなすように入射する。
【００２８】
各発光部１１からの光をホログラム４に対し同時に入射させると、複数の情報が同時に再生されて、受光部５では分離できないので、光発生器１からの光は、各発光部１１を順次発光させることで、多重記録されたホログラム４の情報を角度毎に順次読み出す。
【００２９】
ここで、参照光が記録媒体３上のホログラム４に入射した際に、参照光が回折するための入射角θと波長λの関係は、nλ＝２ｄｓｉｎθ(ｎは正の整数、ｄは格子面の間隔）と表される。このことから、参照光と記録媒体３の位置関係が微妙にずれて、参照光の入射角θがずれた場合、参照光の波長を変えることで補正可能であることがわかる。そこで、広い波長帯域幅を有するレーザ光等を参照光として、記録媒体３に入射させることにより、いずれかの波長のレーザ光が上記関係式の条件を満たして回折し、この回折光により記録媒体３に書込まれた情報を再生することができる。
【００３０】
図３には、光のホログラム４に対する入射角度とホログラム４から出射する光の発光強度との関係を示している。本実施形態における参照光の記録媒体３に対する入射角度をθa、θb、θcとした場合に、多重記録された各ホログラム４、４からそれぞれ最も大きい発光強度で光が出射される。
【００３１】
図３で点線により示しているのは、単一モードのレーザ光を用いた場合の特性であり、この場合には入射角度をθa、θb、θcからわずかでもずらすと、回折光の強度が０となることがわかる。これに対し、本実施形態の光発生器１を用いた場合には、θa、θb、θcのそれぞれの角度の前後においても、ある程度の発光強度が得られるように、所定の角度幅を有している。これは、光発生器１の各発光部１１、１１から発生する光が、単一モードのレーザ光よりも広い波長帯域幅を有していることにより、入射角度に多少のずれが生じてもホログラム４により参照光を回折させていることを示している。
【００３２】
光発生器１の発光部１１近傍に設けられるバンドパスフィルタ６は、発光部１１から発生する光の波長帯域幅が広すぎる場合に、適当な波長帯域だけを取り出して使用するためのものである。これにより、光の波長帯域幅を最適幅に調整することができる。
【００３３】
次に、広い波長帯域幅を有する光発生器１の構成についてより詳細に説明する。図４には、発光部１１となる半導体レーザ２０の断面図を示す。この図に示すように、半導体レーザ２０の構成は、活性層２１がＰ型とＮ型のクラッド層２２、２３で挟まれ、さらにその外側に基板２４や絶縁体２５、正負の電極２６、２７を有するものである。そして、活性層２１の側面はへき開面２１ａ、２１ａと呼ばれ、屈折率の違いから反射鏡として作用する。このへき開面２１ａ、２１ａで光が反射されて活性層２１内で共振することで光は増幅され、しきい値を越えたときにレーザ光として発振される。
【００３４】
図５にはへき開面２１ａ付近の拡大断面図を示す。通常、このへき開面２１ａ、２１ａは、非常にきれいな平坦面に加工され、これにより半値幅が狭く波長のそろったレーザ光を発振するようにしている。しかし、本実施形態では図５に示すように、へき開面２１ａ、２１ａにそれぞれ凹凸を形成する。一般に半導体レーザは、半導体レーザ数十個分の面積を有する基板に対してクラッド層や活性層、電極などを積奏し、これを切断して分割することで形成される。そこで、この切断の際に切断面を通常よりも荒くすることにより、へき開面２１ａ、２１ａに凹凸を形成する。
【００３５】
本実施形態では、へき開面２１ａに凹凸を設けることにより、このレーザ光は主モードとサイドモードが連続的な波長分布を有するようにしている。活性層２１から発振されるレーザ光の波長λは、活性層２１のへき開面からへき開面までの長さをＬとすると、λm＝２Ｌ／ｍ（ｍは正の整数）の関係を満たす。ここで本実施形態ではへき開面２１ａ、２１ａに凹凸を設けたことで、長さＬが場所によって微妙に異なっているので、半導体レーザ２０から発振されるレーザ光は、この式の関係から長さＬの長短に伴って様々な波長で発振されるようになる。
【００３６】
これにより、主モード及びサイドモードは図６に示すように、発光強度は落ちるものの、本来の発振波長を中心としてその近傍波長でも出力を有するようになり、波長の半値幅が広がる。そしてこのように各モードが本来よりも広い波長の半値幅の状態で発光する状態になることにより、本来不連続である主モードとサイドモードの波長分布が連続するようになる。このとき、主モードのピーク値と、主モードとサイドモードが連続する部分との発光強度差が２０ｄＢ以内となるようにすれば、レーザ光は主モードとサイドモードが連続する部分においても必要十分な発光強度を有するようになる。
【００３７】
なお、各モードの波長の半値幅の広がり具合は、へき開面２１ａ、２１ａに形成する凹凸の大きさによって決まる。凹凸の大きさが大きければそれだけ長さＬの長短の違いも大きく、従って発振されるレーザ光の各モードの波長の半値幅も広くなる。そこでこのへき開面２１ａ、２１ａの凹凸を大きくすることで各モードの半値幅を広げ、図７のように各モードが一体的に連続した丘陵状の波長分布を有するレーザ光を発振するようにしてもよい。こうすることにより一定の波長範囲において略同じ発光強度を有するレーザ光をホログラム記録媒体１０に入射させることができ、回折光の出力を略一定にすることができる。ただしこの場合、半導体レーザ２０の発光強度が十分強い必要がある。
【００３８】
またホログラム記録においては、レーザ光の波長を多重させた情報の多重記録が行われることがある。この場合、多重する他のレーザ光と干渉しないように、連続した波長分布を有するレーザ光の波長範囲は、波長多重によるレーザ光の波長間隔よりも狭い必要がある。
【００３９】
次に第二の実施形態について説明する。図８は本実施形態における半導体レーザ２０の活性層２１の拡大断面図である。本実施形態で用いるホログラム装置の構成は、上記第一の実施形態で説明したものと同様である。また、半導体レーザ２０の構成についても活性層２１の構成を除いては同様である。本実施形態では、第一の実施形態と異なり、活性層２１の両端面に多層膜フィルタ２１ｂ、２１ｂを設けている。この多層膜フィルタ２１ｂは、所定の反射率を有しており、これが第一の実施形態におけるへき開面２１ａと同様の機能を果たしている。
【００４０】
図９は、多層膜フィルタ２１ｂの反射特性を示している。従来、多層膜フィルタで反射鏡を構成する場合には、反射光強度分布の中心が全膜厚Ｓの３０％以内の位置となるように、かつこの反射光強度分布の中心近傍にのみ反射光強度分布を有するように成膜される。しかし本実施形態においては、図９に示すように、反射光強度分布の中心が全膜厚Ｓの中心付近となるように、かつ反射光強度分布が膜厚方向に緩やかに変化する丘陵状となるように成膜されている。多層膜フィルタは、その膜厚と膜構成を調節することにより、任意の反射光強度分布を持たせることが可能であることから、このような反射光強度分布を有する多層膜フィルタ２１ｂ、２１ｂを成膜することも可能である。
【００４１】
反射光強度分布の中心が全膜厚Ｓの中心付近となるように、かつ反射光強度分布が膜厚方向に緩やかに変化する丘陵状となるように多層膜フィルタ２１ｂ、２１ｂを成膜することで、第一の実施形態と同様に共振器長に長短が生じ、半導体レーザ２０からレーザ光が様々な波長で発振されるようになる。これにより主モード及びサイドモードは図６に示すように、発光強度は落ちるものの、本来の発振波長を中心としてその近傍波長でも出力を有するようになって波長の半値幅が広がり、主モードとサイドモードの波長分布が連続するようになる。
【００４２】
なお、反射光強度分布を丘陵状とせずに、共振器として必要な所定の反射光強度を有するための最小膜厚よりも１．５倍以上の膜厚で、この最小膜厚と同一の反射光強度を有するように多層膜フィルタ２１ｂ、２１ｂを成膜することによっても、同様に共振器長に長短を生じさせることができる。
【００４３】
第一及び第二の実施形態では、それぞれ広い波長帯域幅を有するレーザ光を発振する発光部１１を用いている。広い波長帯域幅を有する光を発生するものとしては、この他にも自励発振の半導体レーザや、ＬＥＤを用いることなどが考えられる。同様に幅広い波長帯域幅を有するＲＣＬＥＤも用いることができる。このＲＣＬＥＤとは、レーザとＬＥＤの中間の性質を持っており、スペクトル幅はＬＥＤより大きく、レーザより低い。また、光出力はＬＥＤより大きく、レーザより低い。さらに、コヒーレンスもＬＥＤよりは良好で、レーザよりは悪い特性を有している。
【００４４】
さらに、第三の実施形態について説明する。図１０は本実施形態におけるホログラム装置の概要図である。この図に示すように、ホログラム装置の基本構成は、第一の実施形態とほぼ同様である。異なる点は、光発生器１に電流変調部３０が接続されていることである。
【００４５】
ここで、本実施形態で使用する各発光部１１、１１は、第一の実施形態のようにへき開面２１ａ、２１ａに凹凸を設けた半導体レーザではなく、へき開面２１ａ、２１ａが平坦面に加工された一般的に用いられている半導体レーザを使用する。そして、各発光部１１、１１には、電流変調部３０から電流が供給される構成となっている。
【００４６】
半導体レーザは、入力する電流を変化させると、発振されるレーザ光の波長が若干変化することが知られている。そこで、電流変調部３０に例えば正弦波形の電流など振幅が一定範囲で変化する電流を発生させ、この変調電流を発光部１１に入力することにより、レーザ光の波長を一定範囲で変化させることができる。この電流変調部３０はＦＥＴなどから構成されるものである。
【００４７】
なお、半導体レーザ１１は、第二の実施形態のように活性層２１の両端面に多層膜フィルタ２１ｂ、２１ｂを形成して反射鏡とする構成でもよい。ただしこの場合も、第二の実施形態における多層膜フィルタ２１ｂのように、反射光強度分布が丘陵状のものではなく、従来の反射光強度分布を有したものを使用する。
【００４８】
ここでレーザ光が最小波長λ1から最大波長λ2まで変化する間の発振を一回の発振とみると、レーザ発振部から発振されるレーザ光は図１１に示すように、この最小波長λ1から最大波長λ2までの波長帯域幅を有するレーザ光とみることができる。このことから、参照光とホログラム記録媒体３の位置関係が微妙にずれて参照光の入射角θがずれた場合でも、いずれかの波長のレーザ光が回折条件を満たして回折し、この回折光によりホログラム記録媒体３に書込まれた情報を再生させることができる。ただし確実に回折光を得るためには、ホログラム記録媒体３に対してレーザ光を少なくとも電流変化の一周期分の時間照射する必要がある。
【００４９】
以上、本発明の実施形態について説明したが、本発明の適用はこれら実施形態には限られず、その技術的思想の範囲内において様々に適用されうるものである。
【図面の簡単な説明】
【００５０】
【図１】本発明の実施形態におけるホログラム装置の概要図である。
【図２】光発生器の斜視図である。
【図３】ホログラムへの入射光角度に対する回折光の発光強度を示した図である。
【図４】本発明の実施形態における半導体レーザの断面図である。
【図５】図４の半導体レーザにおけるへき開面近傍の拡大断面図である。
【図６】半導体レーザから発振されるレーザ光の波長に対する発光強度特性を示した図である。
【図７】各モードの波長分布を一体的に連続させたレーザ光の発光強度特性を示した図である。
【図８】本発明の第二の実施形態における半導体レーザの活性層の拡大断面図である。
【図９】本発明の第二の実施形態における多層膜フィルタの反射光強度分布を表すグラフである。
【図１０】本発明の第三の実施形態におけるホログラム装置の概要図である。
【図１１】第三の実施形態における半導体レーザから発振されるレーザ光の発光強度分布を示した図である。
【符号の説明】
【００５１】
１    光発生器
２    集光レンズ
３    記録媒体
４    ホログラム
５    受光部
６    バンドパスフィルタ
１０    基板
１１    発光部
２０    半導体レーザ
２１    活性層
２１ａ  へき開面
２１ｂ  多層膜フィルタ
３０    電流変調部
【図１】
2006098459.tif 000003
【図２】
2006098459.tif 000004
【図３】
2006098459.tif 000005
【図４】
2006098459.tif 000006
【図５】
2006098459.tif 000007
【図６】
2006098459.tif 000008
【図７】
2006098459.tif 000009
【図８】
2006098459.tif 000010
【図９】
2006098459.tif 000011
【図１０】
2006098459.tif 000012
【図１１】
2006098459.tif 000013